(57)【要約】【課題】画像中の同一指定箇所に対して複数のユーザにより校正箇所の指示を伝える注釈が付与された場合に、注釈中、最終結論の注釈（校正）を一目で把握する注釈付き画像の表示方法を提供する。【解決手段】製版画像７６中の指定箇所８０に対して注釈を記入するウインドウ７８Ｂを設け、このウインドウ７８Ｂ内に、複数の注釈１００、１０２Ａ、１０４Ａが記入された際、記入された複数の注釈１００、１０２Ａ、１０４Ａを時系列順（１０４Ａ→１０２Ａ→１００の順）に表示するようにしたので、最新の注釈１００を一目で把握することができる。【選択図】図５
2012038237.tif 000002
【特許請求の範囲】
【請求項１】
印刷データに対応する画像に注釈が付与された注釈付き画像の表示方法であって、
ディスプレイ上に表示された前記画像中の指定箇所に対して注釈を記入するウインドウを設けるステップと、
前記ウインドウ内に、複数の注釈が記入された際、記入された複数の注釈を時系列順に表示するステップと、
を有することを特徴とする注釈付き画像の表示方法。
【請求項２】
請求項１記載の注釈付き画像の表示方法において、
前記各注釈には、注釈に併せて時刻情報が表示される
ことを特徴とする注釈付き画像の表示方法。
【請求項３】
請求項１又は２記載の注釈付き画像の表示方法において、
前記複数の注釈を、前記時刻情報が表す時刻順に、前記ディスプレイ上の上方向又は下方向に時刻順に表示する
ことを特徴とする注釈付き画像の表示方法。
【請求項４】
請求項１〜３のいずれか１項に記載の注釈付き画像の表示方法において、
さらに、前記複数の注釈中、時系列的に最新の注釈のみを表示させるか、前記最新の注釈を含めて、少なくとも直近の２つの注釈を表示させるかを切り替えるステップを
有することを特徴とする注釈付き画像の表示方法。
【請求項５】
請求項１〜３のいずれか１項に記載の注釈付き画像の表示方法において、
前記複数の注釈中、最新の注釈を除く古い注釈において、前記最新の注釈の内容と異なる内容の箇所は、目立つように表示する
ことを特徴とする注釈付き画像の表示方法。
【請求項６】
請求項１〜３のいずれか１項に記載の注釈付き画像の表示方法において、
前記画像中の前記指定箇所内に、複数の注釈対象が存在するとき、当該複数の注釈対象に対応する各最新の注釈を目立つように表示する
ことを特徴とする注釈付き画像の表示方法。
【請求項７】
請求項６記載の注釈付き画像の表示方法において、
前記各最新の注釈を除く古い注釈には、取消マークを表示する
ことを特徴とする注釈付き画像の表示方法。
【請求項８】
請求項７記載の注釈付き画像の表示方法において、
前記取消マークの表示された古い注釈は、グレーアウト状態にする
ことを特徴とする注釈付き画像の表示方法。
【請求項９】
請求項１〜８のいずれか１項に記載の注釈付き画像の表示方法において、
前記複数の注釈中、最新の注釈を古い注釈に比較して目立つように表示する
ことを特徴とする注釈付き画像の表示方法。
【請求項１０】
印刷データに対応する画像に注釈が付与された注釈付き画像の表示を制御するコンピュータを、
ディスプレイ上に表示された前記画像中の指定箇所に対して注釈を記入するウインドウを設けるウインドウ生成部、
前記ウインドウ内に、複数の注釈が記入された際、記入された複数の注釈を時系列順に表示する時系列順表示部、
として機能させることを特徴とするプログラム。
【請求項１１】
請求項１０記載のプログラムがインストールされたコンピュータを、ネットワークを介して接続し、接続された各コンピュータで前記注釈を記入できるようにしたシステム。
【発明の詳細な説明】
【技術分野】
【０００１】
この発明は、画像中の校正箇所の指示を伝える注釈を、前記画像に付与した注釈付き画像の表示方法、そのプログラム並びにシステムに関する。
【背景技術】
【０００２】
従来から、刷版が装着された印刷機により印刷する前に、印刷しようとする内容が正しいかどうかを校正（プルーフ）作業により確認している。
【０００３】
近時、このような校正作業をデジタル的に行うようにした校正システムの実用化が図られている。
【０００４】
この校正システムでは、特許文献１に示すように、ディスプレイに表示された製版画像上の校正しようとする箇所に引出線の一端を接続し、前記引出線の他端をウインドウの枠に接続し、前記ウインドウの枠内（ウインドウ内）に、「１９０ｇに変更」等の注釈を記入するようになっている。
【先行技術文献】
【特許文献】
【０００５】
【特許文献１】特開２００３−２８１１２２号公報（図７、［００２０］）
【発明の概要】
【発明が解決しようとする課題】
【０００６】
ところで、校正作業の正確を期すために、製版画像上の校正しようとする箇所に複数のユーザが注釈を記入できることが好ましいとの要請がある。
【０００７】
図７は、複数ページからなる散らし（広告のために配る印刷物）の特定ページの製版画像２と、注釈が記入されたウインドウ３、４、５とが表示された図示しないディスプレイ上の１画面分の比較例の注釈付き画像６を示している。
【０００８】
製版画像２中の「１００円」と表示された指定箇所７に対して、それぞれ校正権限を有するユーザＡ、ユーザＢ、ユーザＣの３人のユーザが、それぞれ、ウインドウ３内に「ユーザＡ：第１校正、これは１５０円です。」、「ユーザＢ：第３校正、これは１２０円になりました。」、「ユーザＣ：第２校正、これは１００円で合っています。」との注釈を記入している。
【０００９】
なお、この比較例において、及び後述するこの出願に係る発明において、あるユーザは、他のユーザが付与した注釈を編集することができないように構成されている。
【００１０】
この図７に示す比較例では、最新の注釈であるユーザＢがした第３校正が、最終結論の校正であるが、製版画像データ上で、注釈付き画像６を見ながらこの校正を反映するオペレータ等にとって、同一指定箇所に対する、ウインドウ３、４、５内に記入された注釈中、どれが最新で最終的な注釈であるのかを判断することが煩雑である。なお、この図７例では、ウインドウ４中の「第３校正」という記載からユーザＢの注釈が最新で最終的な注釈であると判断される。
【００１１】
この発明はこのような課題を考慮してなされたものであり、画像中の同一指定箇所に対して複数のユーザにより校正箇所の指示を伝える注釈が付与された場合に、付与された注釈中、最終結論の注釈（校正）を一目で把握することを可能とする注釈付き画像の表示方法、そのプログラム並びにシステムを提供することを目的とする。
【課題を解決するための手段】
【００１２】
この発明に係る注釈付き画像の表示方法は、印刷データに対応する画像に注釈が付与された注釈付き画像の表示方法であって、ディスプレイ上に表示された前記画像中の指定箇所に対して注釈を記入するウインドウを設けるステップと、前記ウインドウ内に、複数の注釈が記入された際、記入された複数の注釈を時系列順に表示するステップと、を有することを特徴とする。
【００１３】
この発明によれば、画像中の指定箇所に対して注釈を記入するウインドウを設け、このウインドウ内に、複数の注釈が記入された際、記入された複数の注釈を時系列順に表示するようにしたので、画像中の同一指定箇所に対する校正の指示を伝える注釈が複数のユーザにより付与された場合における最新の注釈が、最終結論の注釈（校正）であることを一目で把握することができる。
【００１４】
この場合、前記各注釈には、注釈に併せて時刻情報が表示されるようにすることで、より確実に最終結論の注釈（校正）である最新の注釈（校正）を把握することができる。
【００１５】
なお、前記複数の注釈を、前記時刻情報が表す時刻順に、前記ディスプレイ上の上方向又は下方向に時刻順に表示することが、ユーザにとって見易く好ましい。注釈を横書きで記載している場合に特に好ましい。
【００１６】
なお、さらに、前記複数の注釈中、時系列的に最新の注釈のみを表示させるか、又は前記最新の注釈を含めて、少なくとも直近の２つの注釈を表示させるかを切り替えるステップを設けることで、一層確実に最新の注釈（校正）を把握することができる。
【００１７】
また、前記複数の注釈中、最新の注釈を除く古い注釈において、前記最新の注釈の内容と異なる内容の箇所は、目立つように表示することで、校正箇所、校正の履歴を一目で把握することができる。
【００１８】
さらに、前記画像中の前記指定箇所内に、複数の注釈対象が存在するとき、当該複数の注釈対象に対応する各最新の注釈を目立つように表示することが好ましい。
【００１９】
この場合、前記各最新の注釈を除く古い注釈には、取消マークを表示することで、古い注釈を最新の注釈（校正）としてしまう間違いを皆無にすることができる。
【００２０】
同様に、前記取消マークの表示された古い注釈は、グレーアウト状態にすることでも、古い注釈を最新の注釈（校正）としてしまう間違いを皆無にすることができる。
【００２１】
なお、いずれの場合においても、前記複数の注釈中、最新の注釈を古い注釈に比較して目立つように表示することが好ましい。
【００２２】
この発明に係るプログラムは、印刷データに対応する画像に注釈が付与された注釈付き画像の表示を制御するコンピュータを、ディスプレイ上に表示された前記画像中の指定箇所に対して注釈を記入するウインドウを設けるウインドウ生成部、前記ウインドウ内に、複数の注釈が記入された際、記入された複数の注釈を時系列順に表示する時系列順表示部、として機能させることを特徴とする。
【００２３】
このプログラムがインストールされたコンピュータを、ネットワークを介して接続し、接続された各コンピュータで前記注釈を記入できるようにしたシステムもこの発明に含まれる。
【発明の効果】
【００２４】
この発明によれば、画像中の指定箇所に対して注釈を記入するウインドウを設け、このウインドウ内に、複数の注釈が記入された際、記入された複数の注釈を時系列順に表示するようにしたので、画像中の同一指定箇所に対する複数のユーザの校正に係る注釈が付与された場合の最新の注釈が、最終結論の注釈（校正）であることを一目で把握することができるという効果が達成される。
【図面の簡単な説明】
【００２５】
【図１】この発明に係る注釈付き画像の表示方法を実施する印刷物生産支援システムの全体構成を示すブロック図である。
【図２】校正者端末の機能ブロック図である。
【図３】この実施形態に係る注釈付き画像の表示説明図である。
【図４】図４Ａは、注釈付き画像の変形例１（最新の注釈のみ表示）の表示説明図である。図４Ｂは、注釈付き画像の変形例１（最新の注釈と古い注釈を表示）の表示説明図である。
【図５】注釈付き画像の変形例２（修正箇所の顕在化表示）の表示説明図である。
【図６】注釈付き画像の変形例３（コンテンツ毎の最終注釈の表示）の表示説明図である。
【図７】比較例に係る注釈付き画像の表示説明図である。
【発明を実施するための形態】
【００２６】
以下、この発明に係る注釈付き画像の表示方法についてこれを実施する印刷物生産支援システムとの関係において好適な実施形態を挙げ添付の図面を参照して説明する。なお、以下に参照する図面において、上記図７に示したものと対応するものには同一の符号を付けてその詳細な説明は省略する。
【００２７】
図１は、この実施形態に係る印刷物生産支援システム１０の全体構成を示している。
【００２８】
この印刷物生産支援システム１０は、基本的には、インターネット１２に公開されるリモートサーバ１４と、印刷処理サーバ１６と、オペレータ端末１８と、デザイナ端末２０と、校正者端末２２とから構成される。校正者端末２２は、校正者Ａの端末（校正者Ａ端末）２２Ａと、校正者Ｂの端末（校正者Ｂ端末）２２Ｂと、校正者Ｃの端末（校正者Ｃ端末）２２Ｃとから構成されている。
【００２９】
各端末１８、２０、及び２２は、それぞれ汎用コンピュータ等により構成され、ＣＰＵ、ＲＯＭ、ＲＡＭ等を有する本体部と、ディスプレイ（表示装置）１９、２１、２３及びマウス・キーボード等の入力装置１７、２５、２７等から構成される。
【００３０】
デザイナ端末２０、校正者端末２２、及びオペレータ端末１８は、リモートサーバ１４のアクセス権限ファイル１４Ａに規定されたアクセス権限のある（ＩＤとパスワードを有する）ユーザ（オペレータ端末１８を使用する印刷オペレータ、デザイナ端末２０を使用するデザイナ、校正者端末２２を使用する各校正者Ａ、Ｂ、Ｃ）のみがログインして操作（使用）できるようになっている。
【００３１】
この場合、校正者Ａ端末２２Ａ、校正者Ｂ端末２２Ｂ、及び校正者Ｃ端末２２Ｃには、それぞれ、アクセス権限ファイル１４Ａ中に、各ディスプレイ２３の画面にそれぞれ表示される製版画像中の指定箇所に注釈を記入可能なアクセス権限が規定されている。
【００３２】
デザイナ端末２０及び校正者端末２２には、比較的に低解像度のインクジェットプリンタ等のプリンタ２４、２６がそれぞれ接続されている。プリンタ２４では、製版画像を担持した入稿原稿２８が出力され、プリンタ２６は校正者端末２２（校正者Ａ端末２２Ａ、校正者Ｂ端末２２Ｂ、校正者Ｃ端末２２Ｃ）で共用され入稿原稿２８に対応する製版画像を担持した校正原稿３０が出力される。
【００３３】
図１例の印刷物生産支援システム１０では、リモートサーバ１４、印刷処理サーバ１６、及びオペレータ端末１８は、印刷オペレータ等が所属する印刷会社３２に配置され、デザイナ端末２０は、デザイナ等が所属する制作会社３４に配置され、校正者端末２２は、校正者等が所属する広告代理店又はクライアント（会社）等の印刷物の注文会社３６に配置される構成としているが、この配置構成に限定されるものではなく、例えば、制作会社３４と印刷会社３２とが同一の会社等とされることもある。
【００３４】
リモートサーバ１４は、印刷物生産支援システム１０におけるワークフロー管理の中核をなす装置であり、インターネット１２（ネットワーク）を介してデザイナ端末２０及び校正者端末２２に接続されるとともに、ＬＡＮ（或いはＷＡＮ）３１（ネットワーク）を介して印刷処理サーバ１６及びオペレータ端末１８に接続される。
【００３５】
そのため、この実施形態において、リモートサーバ１４は、アクセス権限ファイル１４Ａを管理する機能の他、ファイル（データも含む）の格納・転送を司るファイルサーバ１４Ｂとしての機能と、ジョブの作成あるいはファイルの格納・転送に付随して発生する通知メールを配信する機能等を有するメールサーバ１４Ｃとしての機能と、を有する。
【００３６】
なお、この実施形態において、データ送受信のプロトコルには、リモートサーバ１４とデザイナ端末２０との間、及びリモートサーバ１４と校正者端末２２との間で、ＨＴＴＰＳが採用され、リモートサーバ１４とオペレータ端末１８との間、リモートサーバ１４と印刷処理サーバ１６との間では、ＨＴＴＰが採用されている。
【００３７】
印刷処理サーバ１６は、それぞれ１又は複数の印刷機に対応して設けられている。図１に示した例では、印刷処理サーバ１６は、ＣＴＰ装置が付設されたオフセット印刷機３８及び比較的に高解像度のデジタル印刷機であるＤＤＣＰ４０に接続されている。ＤＤＣＰ４０では、印刷処理サーバ１６のＲＩＰエンジンにてＰＤＦファイルがラスタ（ビットマップ）ファイル化されて網点化処理された製版画像の校正原稿４２が出力され、オフセット印刷機３８では、上記の校正原稿４２が校正者端末２２で承認された後、校正原稿４２（この場合は、校了原稿という。）に対応する製版画像が印刷された散らし等の印刷物４４が出力される。
【００３８】
図２は、各校正者端末２２の機能実現部（機能実現手段）の構成を示している。校正者端末２２は、上述したように、汎用計算機であり、ＣＰＵ、メモリであるＲＯＭ（ＥＥＰＲＯＭも含む。）、ＲＡＭ、その他、計時部としてのタイマ、年月日時刻を管理する時計部等を有しており、ＣＰＵがＲＯＭに記録されているプログラムを読み出し実行することで図２に示す各種機能実現部として機能する。
【００３９】
注釈機能表示制御部４８は、以下に説明する各種機能部を統括して制御する。
【００４０】
指定箇所設定部５０は、入力装置２７を用いて、ディスプレイ２３上に表示された図示しないメニュー画面上で「指定箇所設定」が選択されたとき、製版画像中の指定箇所に略楕円形状の枠（指定箇所枠）を描画する機能を有する。
【００４１】
ウインドウ生成部５２は、前記メニュー画面上で、「ウインドウ生成」（注釈記入枠生成）が選択されたとき、所望の箇所に矩形状等の枠（ウインドウ枠）を描画する機能を有する。ウインドウ枠の形状は、図示しないメニュー画面上で、矩形状の他、円形、楕円形、あるいは任意図形に選択することができる。
【００４２】
引出線描画部５４は、前記メニュー画面上で、「引出線描画」を選択して、前記指定箇所枠と前記ウインドウ枠とを選択することで、両枠を結ぶ引出線を描画する機能を有する。
【００４３】
注釈記入部５６は、前記ウインドウ内にテキストデータで文字を記入する際に機能する。
【００４４】
時系列順表示部５８は、前記ウインドウ内に、複数の注釈が記入された際、記入された複数の注釈を時系列順に表示する機能を有する。また、時系列順表示部５８は、前記複数の注釈を、前記時刻情報が表す時刻順に、ディスプレイ２３上の上方向又は下方向（切り替え可能である。）に時刻順に表示する機能を有する。なお、この実施形態において、注釈は、横書きで記入されるが、注釈が縦書きで記入される場合には、時刻情報が表す時刻順に、ディスプレイ２３上の右方向又は左方向（切り替え可能である）に時刻順に表示する機能を有する。
【００４５】
時刻情報挿入部５９は、前記ウインドウ内に注釈が記入されたとき、ユーザ名の隣りに自動的に現在時刻（必要であれば、年月日時刻）の時刻情報を挿入する機能を有する。
【００４６】
注釈表示切替部６７は、前記メニュー画面上で、前記複数の注釈中、時系列的に最新の注釈のみを表示させるか、前記最新の注釈を含めて、少なくとも直近の２つの注釈を表示させるかを切り替える機能を有する。
【００４７】
注釈機能表示制御部４８は、前記複数の注釈中、最新の注釈を除く古い注釈において、前記最新の注釈の内容と異なる内容の箇所は、目立つように表示させる機能も有する。
【００４８】
また、注釈機能表示制御部４８は、前記製版画像中の前記指定箇所内に、複数の注釈対象が存在するとき、当該複数の注釈対象に対応する各最新の注釈を目立つように表示する機能を有する。
【００４９】
この場合、注釈機能表示制御部４８は、前記各最新の注釈を除く古い注釈には、取消マークを表示する機能を有する。
【００５０】
また、注釈機能表示制御部４８は、前記取消マークの表示された古い注釈は、グレーアウト状態にする機能を有する。
【００５１】
基本的には、以上のように構成される印刷物生産支援システム１０の動作について説明する。
【００５２】
制作会社３４と注文会社３６と印刷会社３２との間で、印刷のワークフローが実行されるが、制作会社３４のデザイナ（当該印刷物生産支援システム１０のユーザ）は、注文会社３６からの散らし等の印刷物の作成の注文に応じて、デザイナ端末２０上で散らし等の印刷物の原稿（印刷データ）を作成し、作成した散らし等の印刷物の原稿であるページＰＤＦファイル（入稿ファイル）をリモートサーバ１４のファイルサーバ１４Ｂにアップロードする。
【００５３】
アップロードされたページＰＤＦファイルは、ファイルサーバ１４Ｂに記憶されるとともに、リモートサーバ１４のファイルサーバ１４Ｂから印刷処理サーバ１６に自動的に転送される。
【００５４】
そして、印刷処理サーバ１６において、ページＰＤＦファイルを低解像度のページラスタファイル（低解像度のＣＭＹＫ分版ファイル）にＲＩＰ処理するとともに、プリフライト処理し、ページラスタファイル及びプリフライト処理結果をリモートサーバ１４に転送する。
【００５５】
リモートサーバ１４は、低解像度のＣＭＹＫ分版ファイルであるページラスタファイルを同じ解像度のＲＧＢ分版ファイル（校正用ＰＤＦファイル）に変換し保存する。
【００５６】
このとき、リモートサーバ１４は、入稿原稿をアップロードしたデザイナ端末２０に対してアップロード結果通知メールを配信するとともに、アクセス権限ファイル１４Ａを参照して、ページ承認依頼通知メールをページ承認の権限を有する校正者端末２２に対して発行する。
【００５７】
そして、ページ承認依頼通知を受信した注文会社３６の校正者（当該印刷物生産支援システム１０のユーザ）には、校正者端末２２を利用してリモートサーバ１４から前記ＲＧＢ分版ファイルをダウンロードする権限、並びにディスプレイ２３上に前記ＲＧＢ分版ファイルに応じてカラー画像（製版画像）を表示させ製版画像を校正して注釈等を付与する権限、並びに校正がＯＫであるとき製版画像を承認する権限等がリモートサーバ１４から与えられる。
【００５８】
図３は、校正者端末２２のディスプレイ２３上に表示されたこの実施形態に係る注釈付き画像６０を示している。
【００５９】
この注釈付き画像６０は、複数ページからなる散らし（広告のために配る印刷物）の特定ページの製版画像２と、注釈が記入されたウインドウ６４とが表示された画像により構成されている。
【００６０】
製版画像２は、「製品Ｘ：１００円」と、「製品Ｙ：２００円」と記載された画像を有する。
【００６１】
校正者端末２２のディスプレイ２３上で「１００円」と表示された部分を指定する楕円形状枠の指定箇所６２が一の校正者端末２２の操作に基づき指定箇所設定部５０を介して指定されている。
【００６２】
ウインドウ６４内には、３つの注釈６６、６８、７０がテキスト文字により記入されている。
【００６３】
指定箇所６２とウインドウ６４の枠が描画されたとき、引出線描画部５４により自動的に指定箇所６２とウインドウ６４とを接続する引出線７２が描画される。なお、引出線７２の両端位置や形状（直線や曲線）は、校正者端末２２の入力装置２７を利用して変更することができる。
【００６４】
図３のウインドウ６４中に表示された注釈中、上下方向最上部の注釈６６は、ユーザＡ（校正者Ａ）が校正者Ａ端末２２Ａから記入したものであり、記入した時刻情報「１５時１０分」が時刻情報挿入部５９により自動的に挿入されている。なお、時刻情報の挿入は、「これは１５０円です。」と記入し、図示しない決定ボタン（「ＥＮＴＥＲ」ボタンとされる場合もある。）を押したときに、行われる。
【００６５】
ウインドウ６４中に表示された注釈中、上下方向中間部の注釈６８は、ユーザＣ（校正者Ｃ）が校正者Ｃ端末２２Ｃから記入したものであり、記入した時刻情報「１５時２０分」が時刻情報挿入部５９により自動的に挿入されている。
【００６６】
ウインドウ６４中に表示された注釈中、上下方向最下部の注釈７０は、ユーザＢ（校正者Ｂ）が校正者Ｂ端末２２Ｂから記入したものであり、記入した時刻情報「１５時３０分」が時刻情報挿入部５９により自動的に挿入されている。
【００６７】
上述した実施形態によれば、あるユーザは、当該あるユーザの前（時間軸上過去）に他のユーザが記入した注釈自体を編集することはできない。
【００６８】
具体的に、図３例において、注釈６８を記入したユーザＣはユーザＡの注釈６６を編集することができず、注釈７０を記入したユーザＢはユーザＡ及びユーザＣの注釈６６及び６８を編集することができない。
【００６９】
ただし、同一の指定箇所６２に対する注釈として、異なるユーザが同一ウインドウ６４内に注釈を追記できるようになっている。ユーザＣは、注釈６８を追記でき（注釈６６をコピーして利用することはできる。）、ユーザＢは、注釈７０を追記できる（注釈６６又は注釈７０をコピーして利用することはできる）。
【００７０】
図３例のように、この実施形態によれば、時系列順表示部５８の作用下に、記入された複数の注釈６６、６８、７０が、時系列順に表示されているので、最下段に表示されている最新の注釈７０が、製版画像２中の同一指定箇所６２に対する複数のユーザＡ、Ｂ、Ｃの校正に係る注釈中、最終結論の注釈（校正）であることを一目で把握することができる。
【００７１】
各注釈６６、６８、７０には、注釈６６、６８、７０に併せて時刻情報（１５時１０分、１５時２０分、１５時３０分）が表示されるので、この時刻情報を確認することで、より確実に最新の注釈７０｛最終結論の注釈（校正）｝を把握することができる。
【００７２】
なお、横書きで記載されている複数の注釈６６、６８、７０を、前記時刻情報が表す時刻順に、ディスプレイ２３上の下方向（上方向でもよい。）に向かって時刻順に表示しているので、それぞれがユーザである校正者Ａ、Ｂ、Ｃにとって見易く好ましい。注釈が縦書きで記載されている場合には、左方向（右方向でもよい。）に向かって時刻順の複数の注釈を表示することが好ましい。
【００７３】
最新の注釈の反映の決定について説明すると、リモートサーバ１４中の前記のアクセス権限ファイル１４Ａ中には、校正者Ａ端末２２Ａ、校正者Ｂ端末２２Ｂ、及び校正者Ｃ端末２２Ｃのいずれかの端末に対して管理者端末としての権限が設定され、この管理者端末のユーザが注釈の反映を決定する操作を行うと、管理者端末としての校正者端末２２からインターネット１２、リモートサーバ１４の注釈機能表示制御部４８、再びインターネット１２を通じて、図３に示した注釈付き画像６０がデザイナ端末２０のディスプレイ２１上に表示される。
【００７４】
なお、注釈の反映の決定は、締め切り時刻によりリモートサーバ１４で管理することもできる。この場合、締め切り時刻を校正者端末２２のディスプレイ２３上に表示し、締め切り時刻になった時点での注釈付き画像６０を最新の注釈付き画像６０とし、その旨を校正者端末２２のディスプレイ２３上に表示し、以降の注釈の追加を受け付けないようにする。
【００７５】
この場合、締め切り時刻となった時点で、上述したように、校正者端末２２からインターネット１２、リモートサーバ１４の注釈機能表示制御部４８、再びインターネット１２を通じて、図３に示した注釈付き画像６０がデザイナ端末２０のディスプレイ２１上に表示される。
【００７６】
デザイナ端末２０のディスプレイ２１上に、図３に示した注釈付き画像６０が表示されると、デザイナは、デザイナ端末２０を通じて、最新の注釈７０に応じた変更を、入力装置２５を通じて行い、変更後の新たな製版画像に係るページＰＤＦファイルをファイルサーバ１４Ｂにアップロードする。
【００７７】
その後、上述したように、印刷処理サーバ１６によりページラスタファイルを生成し、リモートサーバ１４によりＲＧＢ分版ファイル（校正用ＰＤＦファイル）に変換し、校正者端末２２のディスプレイ２３上に新たな製版画像を表示させる。
【００７８】
この新たな製版画像が校正者端末２２中の管理者端末により認証されると（ＯＫにされると）、リモートサーバ１４を介してオペレータ端末１８に通知される。
【００７９】
通知を受けたオペレータ端末１８のユーザ（オペレータ）は、オペレータ端末１８から印刷処理サーバ１６に対して、当該散らし等の印刷物の印刷枚数、印刷紙、及び印刷品質等を設定し、印刷開始指令を送ることで、印刷処理サーバ１６を通じて、上述した変更後の新たな製版画像に係るページＰＤＦファイル（印刷データ）をファイルサーバ１４Ｂから読み出してＲＩＰ処理し、ＣＴＰ装置により刷版を作成してオフセット印刷機３８に設定する。このようにして、オフセット印刷機３８により、指定箇所６２内の製版画像「１００円」が最新の注釈７０に応じた「１２０円」とされた画像を担持した散らし等の印刷物４４が作成される。
【００８０】
［変形例１］
図４Ａ、図４Ｂは、注釈付き製版画像の表示の変形例１の構成を示している。
【００８１】
図４Ａは、校正者端末２２のディスプレイ２３上に表示された注釈付き画像７４Ａを示し、図４Ｂは、ディスプレイ２３上に表示された注釈付き画像７４Ｂを示している。
【００８２】
注釈付き画像７４Ａ、７４Ｂは、それぞれ、製版画像７６と、注釈が記入されたウインドウ７８Ａ、７８Ｂとが表示された画像により構成されている。
【００８３】
製版画像７６は、「ハンドタオル  ２００円」と記載された画像を有する。
【００８４】
「２００円」と表示された部分を指定する指定箇所８０が指定箇所設定部５０を通じて指定されている。
【００８５】
ウインドウ７８Ａは、中央の注釈記入部８２とこれを囲繞する外枠部８４とから構成され、外枠部８４には、展開ボタン８６が設けられている。ウインドウ７８Ａの注釈記入部８２には、最終の注釈１００である「２０１０／０６／１０  １３：００  ユーザＡ  ここを１００円にしてください。」のみがテキスト表示されている。
【００８６】
図４Ａの表示状態において、校正者が、校正者端末２２の入力装置２７により展開ボタン８６を操作（押下）したとき、図４Ｂに示すように、展開ボタン８６が閉じるボタン８８に変更される。ウインドウ７８Ｂは、上下方向に並べられた３つの注釈記入部８２、９０、９２と、各注釈記入部８２、９０、９２を囲繞する外枠部８４、９４、９６とから構成されている。
【００８７】
注釈付き画像７４Ａ中の展開ボタン８６を押すことにより過去の古い注釈１０２「２０１０／０６／１０  １１：００  ユーザＢ  ここを１２０円にしてください。」、古い注釈１０４「２０１０／０６／１０  ９：００  ユーザＡ  ここを１１０円にしてください。」を確認して経緯を振り返ることができる。なお、古い注釈１０２、１０４は、注釈機能表示制御部４８によりグレーアウト状態（グレーアウト状態とは、ウインドウのボタンや選択部分がグレーになって選択できなくなっている状態）にされている。
【００８８】
展開ボタン８６及び閉じるボタン８８は、注釈表示切替部６７により設定されている。
【００８９】
引出線７２は、引出線描画部５４により、ウインドウ７８Ａ、７８Ｂ中、最終の注釈記入部８２の外枠部と、指定箇所８０の外枠部とを接続している（対応付けている。）。
【００９０】
この変形例１では、複数の注釈１００、１０２、１０４中、時系列的に最新の注釈１００のみを表示させるか、又は最新の注釈１００を含めて、少なくとも直近の２つの注釈（この変形例では、３つの注釈１００、１０２、１０４）を表示させるかを切り替える注釈表示切替部６７により制御される展開ボタン８６及び閉じるボタン８８を設けているので、一層確実に最新の注釈（校正）を把握することができる。
【００９１】
［変形例２］
図５は、注釈付き製版画像の表示の変形例２の構成を示している。この変形例２において、注釈機能表示制御部４８は、ウインドウ７８Ｂ中の注釈記入部８２、９０、９２中に記入された注釈１００、１０２Ａ、１０４Ａ中、それぞれ、自動的に挿入される時刻情報とユーザ情報を表すヘッダー部「年月日  時刻（例えば、２０１０／０６／１０  １３：００）と、ユーザ名（ユーザＡ）」を除き、本文部「ここを１００円にしてください。」と、他の本文部「ここを１２０円にしてください。」及び「ここを１１０円にしてください。」とを比較する。
【００９２】
この比較結果で、注釈機能表示制御部４８は、最新の数字［１００］と異なる数字「１２０」、「１１０」と、その前後に「円」や「￥」が存在した場合には、それを単位とみなした、「１２０円」、「１１０円」を図５に示すように注釈１０２Ａ、１０４Ａ中に目立たせて表示する。例えば、ハイライトして表示する。なお、目立たせて表示する領域は、手動で選択することもできる。
【００９３】
このようにすれば、最新注釈１００において、古い注釈１０２Ａ、１０４Ａのどこが修正されたかを一目で分かり、誤解を生じることがない。
【００９４】
［変形例３］
図６は、注釈付き製版画像の表示の変形例３の構成を示している。この変形例３において、ウインドウ１０８内の３つの注釈記入部８２、１１０、９２中に、それぞれ注釈１００、１１２、１０４が記入されている。
【００９５】
製版画像７６中に設けられた指定箇所１０６内には、２つのコンテンツ「ハンドタオル」と「２００円」が含まれている。
【００９６】
最新の注釈１００を記入しようとするとき、ユーザＡは、９：００に記入した注釈記入部９２を選択する。そうすると、ウインドウ１０８の最上段に１３：００のユーザＡの注釈１００を記入することができる。注釈１００の記入が終了したとき、図６に示したように、ユーザＡの古い注釈１０４の注釈記入部９２がグレーアウトされるとともに、注釈機能表示制御部４８により古い注釈１０４に対して有効ではない（古い注釈である）ことを意味する×印の取消マーク１１４が自動的に描画される。
【００９７】
なお、時系列的に２段目に描画されている「２０１０／０６／１０  １１：００」のユーザＢによる注釈１１２は、「フェイスタオルにしてください。」と記入され、コンテンツ「ハンドタオル」をコンテンツ「フェイスタオル」に変更する注釈であるので、これも最新の注釈１１２として表示されている（グレーアウトされない。）。
【００９８】
この変形例３において、最新の注釈１００を記入したユーザＡが、図６に示した古い注釈１１２、１０４のうち、どちらを更新するかは、その古い注釈１１２又は古い注釈１０４（この例では、古い注釈１０４）を選択して（コピーして）新しい注釈１００を記入したこと（操作）により注釈機能表示制御部４８が判定することができる。
【００９９】
この変形例３では、同一指摘箇所１０６に複数のコンテンツが存在する場合に、コンテンツ毎に注釈を記入することができるので、利便である。
【０１００】
［実施形態の総括的説明］
以上説明したように、上述した実施形態によれば、製版画像２（図３）、製版画像７６（図４Ａ、図４Ｂ、図５、図６）中の指定箇所６２（図３）、指定箇所８０（図４、図５）、指定箇所１０６（図６）に対して注釈を記入するウインドウ６４（図３）、ウインドウ７８Ａ（図４Ａ）、ウインドウ７８Ｂ（図４Ｂ、図５）、ウインドウ１０８（図６）を設け、このウインドウ６４、７８Ａ、７８Ｂ、１０８内に、複数の注釈６６、６８、７０（図３）、１００、１０２、１０４（図４Ｂ）、１００、１０２Ａ、１０４Ａ（図５）、１００、１１２、１０４（図６）が記入された際、記入された複数の注釈を時系列順（図３では、６６→６８→７０の順、図４Ｂでは、１０４→１０２→１００の順、図５では、１０４Ａ→１０２Ａ→１００の順、図６では、１０４→１００の順）に表示するようにしたので、製版画像中の同一指定箇所に対する校正の指示を伝える注釈が複数のユーザにより付与された場合に、最新の注釈７０（図３）、最新の注釈１００（図４Ｂ、図５、図６）、最新の注釈１１２（図６）が、最終結論の注釈（校正）であることを一目で把握することができる。
【０１０１】
この場合、前記各注釈６６、６８、７０（図３）、１００、１０２、１０４（図４Ｂ）、１００、１０２Ａ、１０４Ａ（図５）、１００、１１２、１０４（図６）には、注釈に併せて時刻情報が表示されるようにしているので、より確実に最終結論の注釈（校正）である最新の注釈（校正）を把握することができる。
【０１０２】
また、図５に示すように、複数の注釈１００、１０２Ａ、１０４Ａ中、最新の注釈１００を除く古い注釈１０２Ａ、１０４Ａにおいて、最新の注釈１００の内容（１００円）と異なる内容と判断した内容（１２０円、１１０円）の箇所は、目立つように表示しているので、校正箇所、校正の履歴を一目で把握することができる。
【０１０３】
さらに、図６に示すように、各最新の注釈１００、１１２を除く古い注釈１０４には、取消マーク１１４を表示することで、古い注釈１０４を最新の注釈１００、１１２（校正）としてしまう間違いを皆無とすることができる。
【０１０４】
同様に、取消マーク１１４の表示された古い注釈１０４は、図６に示したように、グレーアウト状態にすることでも、古い注釈１０４を最新の注釈１００としてしまう間違いを皆無とすることができる。
【０１０５】
なお、この発明は、上述の実施形態に限らず、例えば、図１例の印刷物生産支援システム１０において、画像を印刷するオフセット印刷機３８を、インクジェットプリンタやカラーレーザプリンタ等に代替し、印刷データ（印刷物を作成するためのデータ）に対応する画像が担持された散らし等の印刷物を作成する等、この明細書の記載内容に基づき、種々の構成を採り得ることはもちろんである。
【符号の説明】
【０１０６】
２、７６…製版画像
６、６０、７４Ａ、７４Ｂ…注釈付き画像
１０…印刷物生産支援システム
１２…インターネット                  １４…リモートサーバ
１６…印刷処理サーバ                  １８…オペレータ端末
１９、２１、２３…ディスプレイ        ２０…デザイナ端末
２２…校正者端末（２２Ａ…校正者Ａ端末、２２Ｂ…校正者Ｂ端末、２２Ｃ…校正者Ｃ端末）
２８…入稿原稿                        ３０、４２…校正原稿
４４…印刷物                          ４８…注釈機能表示制御部
５０…指定箇所設定部                  ５２…ウインドウ生成部
５４…引出線描画部                    ５６…注釈記入部
５８…時系列順表示部                  ５９…時刻情報挿入部
６２、８０、１０６…指定箇所
６４、７８Ａ、７８Ｂ、１０８…ウインドウ
６６、６８、７０、１００、１０２、１０２Ａ、１０４、１０４Ａ、１１２…注釈
６７…注釈表示切替部
【図１】
2012038237.tif 000003
【図２】
2012038237.tif 000004
【図３】
2012038237.tif 000005
【図４】
2012038237.tif 000006
【図５】
2012038237.tif 000007
【図６】
2012038237.tif 000008
【図７】
2012038237.tif 000009